(57)【要約】      （修正有）【課題】装飾性を高めて、玄関先などに設置できるようにした郵便受けを提供する。【解決手段】郵便受け１は、郵便物を収容するための筐体１５と、筐体１５に郵便物を投入するための投函口１６と、筐体１５から郵便物を取り出すための取出口１７とを備えており、花卉を配置するための花卉載置部を筐体１５に隣接して設けてある。郵便受けとしての機能だけでなく花卉載置部を筐体１５に隣接して設けてあるので、花卉載置部に鉢植え等を配置して、装飾性を高めることができる。花卉載置部には、花卉を保持した容器が設置されるので、花卉を保持した容器を設置し、また撤去できるから花卉の取り替えが容易である。【選択図】図３
0003142598.tif 000002
【実用新案登録請求の範囲】
【請求項１】
郵便物を収容するための筐体と、前記筐体に郵便物を投入するための投函口と、前記筐体から郵便物を取り出すための取出口とを備える郵便受けにおいて、
花卉を配置するための花卉載置部を前記筐体に隣接して設けた
ことを特徴とする郵便受け。
【請求項２】
前記花卉載置部には、花卉を保持した容器が設置される
ことを特徴とする請求項１記載の郵便受け。
【請求項３】
前記投函口とは別に前記筐体に設けられた、前記投函口よりも開口寸法が大きい大型用投函口を開閉する開閉部材を備えた
ことを特徴とする請求項１又は２記載の郵便受け。
【請求項４】
前記開閉部材に前記投函口が設けられている
ことを特徴とする請求項３記載の郵便受け。
【請求項５】
家型であり、その屋根に相当する部分が前記開閉部材とされている
ことを特徴とする請求項３又は４記載の郵便受け。
【請求項６】
前記屋根の軒下に相当する部分に前記花卉載置部が設けられている
ことを特徴とする請求項５記載の郵便受け。
【考案の詳細な説明】
【技術分野】
【０００１】
本考案は、郵便受けの技術分野に属する。
【背景技術】
【０００２】
郵便受けには様々な形態のものがある。いくつか例を挙げれば、実開平６−６６４７２号公報、特開平９−２２４８１０号公報、特開２００３−９３２１４号公報に記載されているものがある。
【特許文献１】実開平６−６６４７２号公報
【特許文献２】特開平９−２２４８１０号公報
【特許文献３】特開２００３−９３２１４号公報
【考案の開示】
【考案が解決しようとする課題】
【０００３】
しかしながら、従来の郵便受けは、玄関先などに設置されるにもかかわらず、装飾性が少なかった。
【課題を解決するための手段】
【０００４】
請求項１記載の郵便受けは、
郵便物を収容するための筐体と、前記筐体に郵便物を投入するための投函口と、前記筐体から郵便物を取り出すための取出口とを備える郵便受けにおいて、
花卉を配置するための花卉載置部を前記筐体に隣接して設けた
ことを特徴とする。
【０００５】
請求項１記載の郵便受けは、郵便受けとしての機能（筐体、投函口、取出口）の他に、花卉を配置するための花卉載置部を筐体に隣接して設けてあるので、花卉載置部に鉢植え等を配置して、装飾性を高めることができる。
【０００６】
請求項２記載の郵便受けは、前記花卉載置部には、花卉を保持した容器が設置されることを特徴とする請求項１記載の郵便受けである。
花卉を保持した容器としては、花瓶、植木鉢、水盤、オアシス（スポンジ）を仕込んだ容器などが例示されるが、例えば牛乳瓶であっても花瓶と同様に使用できるように、これらに限るものではない。
【０００７】
花卉を保持した容器を設置し、また撤去できるから花卉の取り替えが容易である。
請求項３記載の郵便受けは、前記投函口とは別に前記筐体に設けられた、前記投函口よりも開口寸法が大きい大型用投函口を開閉する開閉部材を備えたことを特徴とする請求項１又は２記載の郵便受けである。
【０００８】
投函口は、一般に葉書や封書に対応した寸法とされるので、新聞やカタログ等を投入しにくいことがあった。しかし、請求項３記載の郵便受けでは、開閉部材を開ければ大型用投函口が開口するので、新聞やカタログ等を容易に投入できる。
【０００９】
請求項４記載の郵便受けは、前記開閉部材に前記投函口が設けられている
ことを特徴とする請求項３記載の郵便受けであるから、小型の（通常サイズの）郵便物は開閉部材を閉じたままで投函口から、大型ならば開閉部材を開けて投入すればよい。
【００１０】
請求項５記載の郵便受けは、家型であり、その屋根に相当する部分が前記開閉部材とされていることを特徴とする請求項３又は４記載の郵便受けであるから、美観に優れている。
【００１１】
請求項６記載の郵便受けは、前記屋根の軒下に相当する部分に前記花卉載置部が設けられていることを特徴とする請求項５記載の郵便受けであり、軒下に花卉が配されるので、花卉載置部が花壇のように見える。
【考案を実施するための最良の形態】
【００１２】
次に、本考案の実施例等により考案の実施の形態を説明する。なお、本考案は下記の実施例等に限定されるものではなく、本考案の要旨を逸脱しない範囲でさまざまに実施できることは言うまでもない。
［実施例］
図１及び図２に示すように、本実施例の郵便受け１は家型をしている。
【００１３】
郵便受け１は、側面板２、３、背面板４、正面板５、底板６、屋根８等で構成されている。
屋根８は山形の屋根であり、側面板２、３の上部は屋根８の形状に合わせて山形になっている。側面板２、３には、一方の縦辺を切り欠いて、上部張出部２ａ、３ａ及び下部張出部２ｂ、３ｂが設けられている。
【００１４】
側面板２、３の間には、背面板４、正面板５及び底板６が配されており、これらの各端面が側面板２、３の内面に接着されている。また、背面板４と底板６、正面板５と底板６も接着されている。そして、背面板４の上端部と屋根８とが屋根用蝶番１１によって連結されている。
【００１５】
また、正面板５の上端部には、可動板１２が可動板用蝶番１３によって連結されている。可動板１２は、正面板５の上に直立する状態と図示のように傾斜した状態とに可変である。可動板１２を傾斜変位させると、側面板２、３の内面に立設されたストッパ１４に当たって止まる。
【００１６】
これら側面板２、３、背面板４、正面板５、底板６、屋根８、可動板１２によって構成される箱状の部分が筐体１５となる。
屋根８には投函口１６が設けられている。また屋根８は屋根用蝶番１１によって開閉可能になっており、屋根８を開けると筐体１５の上部が大型用投函口として開口する。
【００１７】
側面板２には長方形の取出口１７が開口し、その取出口１７にはめ込み状にされた取出ドア１８がドア用蝶番１９によって側面板２に連結されている。取出ドア１８は、通常はフック２０によってロックされているが、これを外せば取出口１７を開放できる。取出ドア１８を開放すれば、筐体１５の中から物品（郵便物等）を取り出すことができる。
【００１８】
反対側の側面板３には窓２２が設けられており、窓２２から筐体１５の内部、つまり郵便物などの有無を確認できる。
側面板２、３の下部張出部２ｂ、３ｂの先端には張出板２３が接着されている。
【００１９】
また、側面板２、３に設けられた摺動溝２４には摺動板２５がはめ込まれている。摺動板２５は摺動溝２４を摺動して昇降変位可能で、屋根８を開放し、また可動板１２を直立させれば、摺動板２５を摺動溝２４から抜き取り（差し込み）できる。この摺動板２５は、花卉載置部に置かれる花卉等の背景となるので、摺動板２５をペイントしたり、装飾を加えることにより、花の背景が変わり、より効果的に植物を飾ることができる。
【００２０】
これら下部張出部２ｂ、３ｂ、張出板２３及び摺動板２５によって囲まれた部分が花卉載置部となる。但し、この花卉載置部には「底」が無く、矩形の樹脂容器（図示略）を、そのフランジ部を下部張出部２ｂ、３ｂ及び張出板２３の上縁に引っ掛けるようにして設置する。
【００２１】
樹脂容器は、上端のみが開口した箱状であり、花卉を保持した容器（例えば花瓶、植木鉢、水盤、オアシスなど）を保持できる。
樹脂容器の底は閉じていても（水を入れても漏れない構造でも）、水抜き穴を設けたものでも、保持する花卉の形態に応じて適宜にできる。例えば樹脂容器の底に水抜き穴を数箇所開けておけば、根付きの植物を土等で植え込むことが可能である。すなわち、植木鉢のように植物を植え込んで育てることが可能な郵便受け１となる。
【００２２】
花卉載置部に底を設けていないのは、花卉載置部に水が溜まるのを防ぐためである。普通、植物を育てるには水やりが必要となるので、花卉載置部に置いた花などに水をやれば、花卉載置部や周辺が濡れた状態になる。郵便受け１が木製であると、水やりによって湿った状態が続けば、木が腐りやすく、郵便受け１の本体が長持ちしなくなる。
【００２３】
しかし、花卉載置部に底が無いから、上述の樹脂容器の水抜き穴から流れ出た水が郵便受け１の本体に滞留せずに直接、外部に放出される。従って、ここに水が溜まって腐食が進行するのを防止できる。
【００２４】
また、植物を植え込む容器を上述の樹脂容器にすれば、水や湿った土が直接、郵便受け１の本体に触れることがなく、この点でも湿気による腐食を防止できる。
以上のように、この実施例の郵便受け１は、郵便物を収容するための筐体１５と、筐体１５に郵便物を投入するための投函口１６と、筐体１５から郵便物を取り出すための取出口１７とを備えており、花卉を配置するための花卉載置部を筐体１５に隣接して設けてある。
【００２５】
つまり、郵便受け１は、郵便受けとしての機能（筐体１５、投函口１６、取出口１７）の他に、花卉を配置するための花卉載置部を筐体１５に隣接して設けてあるので、花卉載置部に鉢植え等を配置して、装飾性を高めることができる。
【００２６】
また、花卉載置部には、花卉を保持した容器（例えば花瓶、植木鉢、水盤、オアシスなど）が設置されるので、花卉を保持した容器を設置し、また撤去できるから花卉の取り替えが容易である。
【００２７】
郵便受け１は、屋根８が屋根用蝶番１１によって開閉可能になっており、屋根８を開けると筐体１５の上部が大型用投函口として開口するので、投函口１６では入りにくい新聞やカタログ等は、屋根８を開けて容易に投入できる。しかも、投函口１６は屋根８に設けられているから、小型の（通常サイズの）郵便物は屋根８を閉じたままで投函口１６から、大型ならば屋根８を開けて投入すればよい。
【００２８】
郵便受け１は家型で、屋根８が大型用投函口のための開閉部材とされているから、美観に優れている。
郵便受け１は、屋根８の軒下に相当する部分に花卉載置部が設けられており、軒下に花卉が配されるので、花卉載置部が花壇のように見える。
［変形例１］
図４に示すように、片屋根タイプの郵便受け１ａにすることもできる。
このように片屋根タイプにすれば、壁掛けで設置することもできる。
［変形例２］
図５に示すように、屋根８の妻下に投函口１６を設けて、軒下部分に屋根用蝶番（図示せず）を配置して、屋根８を図中で左側へ（又は右側へ）跳ね上げ式に開閉する構造の郵便受け１ａにしてもよい。このようにすれば、片屋根タイプでなくとも壁掛けで設置できる。
【図面の簡単な説明】
【００２９】
【図１】実施例の郵便受けの左側面図。
【図２】実施例の郵便受けの右側面図。
【図３】実施例の郵便受けの使用状態の説明図。
【図４】変形例１の郵便受けの説明図であり、（ａ）は屋根を閉じた状態、（ｂ）は屋根を開けた状態を示す。
【図５】変形例２の郵便受けの斜視図。
【符号の説明】
【００３０】
１、１ａ・・・郵便受け、
２・・・側面板、
２ａ・・・上部張出部、
２ｂ・・・下部張出部、
３・・・側面板、
４・・・背面板、
５・・・正面板、
６・・・底板、
８・・・屋根、
１１・・・屋根用蝶番、
１２・・・可動板、
１３・・・可動板用蝶番、
１４・・・ストッパ、
１５・・・筐体、
１６・・・投函口、
１７・・・取出口、
１８・・・取出ドア、
１９・・・ドア用蝶番、
２０・・・フック、
２２・・・窓、
２３・・・張出板、
２４・・・摺動溝、
２５・・・摺動板。
【図１】
0003142598.tif 000003
【図２】
0003142598.tif 000004
【図３】
0003142598.tif 000005
【図４】
0003142598.tif 000006
【図５】
0003142598.tif 000007